(57)【要約】【課題】本発明は、操作がしやすく且つ状況が把握しやすい光の伝達が可能な複合プラスチック管を提供する。【解決手段】複数の光ファイバーと、プラスチックとからなる。前記各光ファイバーは、それぞれ、出光端と入光端とを備え、光線は前記入光端から入射した後、前記出光端から射出する。前記プラスチックは、前記光ファイバーの側縁に結合されて、それにより、前記光ファイバーの相対的な位置を固定して管状の光ファイバー複合プラスチック光導管を形成する。光ファイバー複合プラスチック光導管は、出光管口と入光管口を備え、前記出光端は、前記出光管口に沿って配列されるとともに、前記出光管口の外側を向いている。【選択図】図１
2013025007.tif 000002
【特許請求の範囲】
【請求項１】
複数の光ファイバーと、プラスチックとからなる光の伝達が可能な複合プラスチック管であって、
前記各光ファイバーは、それぞれ、出光端と入光端とを備え、光線は前記入光端から入射した後、前記出光端から射出し、
前記プラスチックは、前記光ファイバーの側縁に結合されて、それにより、前記光ファイバーの相対的な位置を固定して管状の光ファイバー複合プラスチック光導管を形成し、光ファイバー複合プラスチック光導管は、出光管口と入光管口を備え、前記出光端は、前記出光管口に沿って配列されるとともに、前記出光管口の外側を向いていることを特徴とする、光の伝達が可能な複合プラスチック管。
【請求項２】
前記入光端は、前記入光管口の一カ所に集中し、各入光端はいずれも前記入光管口の外側を向き、前記プラスチックは、熱硬化性プラスチック、或いは、熱可塑性プラスチックであることを特徴とする、請求項１に記載の光の伝達が可能な複合プラスチック管。
【発明の詳細な説明】
【技術分野】
【０００１】
本発明は光の伝達が可能な複合プラスチック管に関し、特に光ファイバーを巻いてなる管に関する。
【背景技術】
【０００２】
光が明るくない箇所に、パイプを用いて物体の除去や吸い取りの作業を行う際、光が不足しているため作業が困難になる場合が多い。
【０００３】
例を挙げると、歯科医師が口腔内の手術を行う際、患者の傷口から流れ出た血液と唾液が混ざって口腔内に堆積し、視界が遮られ、手術の進行に影響することがたびたびある。従って、吸い取り機器を利用する必要がある。手術するのと同時に、前記吸い取り機器に連結された管によって血液と唾液を吸い取る。
【０００４】
しかしながら、口の開ける幅は限りがあり、しかも歯の構造上、口腔内には暗くなる部分が多くあるため、医師は、血液と唾液の堆積した箇所を確認するために、患者の頭を動かして光を照らすしかなく、医師や患者にとって非常に不便である。
【０００５】
また、体に入りこんで行う治療の際も、同様な問題が生じる。例えば、内視鏡、胃カメラ、大腸カメラなどは、いずれも、管の外縁に発光源を取り付けて治療を行うが、進入する管の体積が大きくなればなるほど、患者の不快感も重くなる。また、前記発光源は前記管から突出しているため、管前端の重量が増え、管を移動させる操作が難しくなる。
【発明の概要】
【発明が解決しようとする課題】
【０００６】
上述の問題を鑑み、本発明は、光ファイバーとプラスチックを結合させた管を用い、光線を管の一端から進入させた後さらに前記管の他端から射出させ、前端に別に発光体を設ける必要がないため重量が管の一端に集中せず操作する際に発光体を避ける必要がなく、さらに、光線が、管正面から管の前方を直接照射するため、その照射効果が優れており状況を把握しコントロールしやすい、光の伝達が可能な複合プラスチック管を提供することを目的とする。
【課題を解決するための手段】
【０００７】
本発明の光の伝達が可能な複合プラスチック管は、複数の光ファイバーと、プラスチックとからなる。前記各光ファイバーは、それぞれ、出光端と入光端とを備え、光線は前記入光端から入射した後、前記出光端から射出する。前記プラスチックは、前記光ファイバーの側縁に結合されて、それにより、前記光ファイバーの相対的な位置を固定して管状の光ファイバー複合プラスチック光導管を形成する。光ファイバー複合プラスチック光導管は、出光管口と入光管口を備え、前記出光端は、前記出光管口に沿って配列されるとともに、前記出光管口の外側を向いている。
【発明の効果】
【０００８】
本発明は、従来の管のように発光体を別に設ける必要がないため必要な厚さと造形を直接つくることができ、操作が便利になる。また、本発明は、内視鏡、口腔手術、或いは機器設備のメンテナンス組み立て等、各種の幅広い分野に適用することができる。
【図面の簡単な説明】
【０００９】
【図１】本発明の実施例を示した斜視図である。
【図２】本発明の実施例を示した断面図である。
【図３】本発明の実施例の光ファイバーの分布状態を示した断面図である。
【図４】本発明の実施例の出光管の口部を前から見た状態を示した説明図である。
【図５】本発明の実施例の入光管の口部を前から見た状態を示した説明図である。
【図６】本発明の実施例をグリップに差し込んだ状態を示した断面図である。
【図７】本発明の実施例の入光端の別の配列方法を示した斜視図である。
【図８】図７の入光端の配列を前から見た状態を示した説明図である。
【図９】環状に配列した発光源を示した説明図である。
【発明を実施するための形態】
【００１０】
図１から図４を参照する。図１は、本発明の実施例を示した斜視図であり、図２は、本発明の実施例を示した断面図であり、図３は、本発明の実施例の光ファイバーの分布状態を示した断面図であり、図４は、本発明の実施例の出光管の口部を前から見た状態を示した説明図である。本発明の一実施形態による光の伝達が可能な複合プラスチック管は、複数の光ファイバー１０とプラスチック２０とからなる。
【００１１】
その内、各光ファイバー１０は、出光端１１と入光端１２とを備える。それにより、光線は、入光端１２から入射した後、出光端１１から射出する。プラスチック２０を光ファイバー１０の側縁に結合させ、光ファイバー１０の相対的な位置を固定させて管状にすることで、光ファイバー複合プラスチック光導管３０が形成される。光ファイバー複合プラスチック光導管３０は、出光管口３１と入光管口３２を備え、出光端１１は出光管口３１に沿って配列され、出光端１１はいずれも出光管口３１の外側を向いている。
【００１２】
光ファイバー１０がプラスチック２０に結合されるため、光線は、入光端１２から進入した後、、光ファイバー１０の内部に沿って、出光端１１に向かって進み、出光端１１から射出される。以上によって、前方へ照射する目的を達することができる。
【００１３】
本発明の実施例は、一般の管の作用を備え、物体を運ぶことができるだけでなく、さらに、入光管口３２に発光源、或いは、映像キャプチャー機器を連結させることができ、それにより、出光管口３１の前方を照らしたり、映像を取得することができる。また、需要に合わせて、プラスチック２０の成分を調整することにより、本発明に耐高温、或いは、抗酸アルカリの特性を持たせ、各種ケース、例えば、医療用（高温殺菌）、機械メンテナンス組み立て用等、に適用させることができる。
【００１４】
また、本発明の実施例は、外縁に発光源を別に設ける必要がないため、重量が管の一端に集中せず、凸出した発光体を避けるように操作する必要がないため、操作の利便性が大幅によくなる。また、体に入り込んで行う治療の場合、管の口径とほぼ同じ大きさの入り口を人体に開ければよく、発光源に対応する入口を開ける必要がないので、本発明の実施例を使用すると傷口が小さくなる。
【００１５】
図２、図３、図５に示すように、入光端１２は、入光管口３２の一カ所に集中し、各入光端１２はいずれも入光管口３２の外を向いているため。それにより、単一の発光源を使用するだけで、入光端１２を同時に照射することができる。図６も併せて参照する。本発明の実施例は、グリップＨ内に挿入される。グリップＨ内には、発光源Ｌと伝導媒質Ｔが設けられ、伝導媒質Ｔの一端は発光源Ｌに当接し、他端は入光管口３２に当接し、発光源Ｌから射出される光線は、伝導媒質Ｔを通って入光管口３２に進入し、出光端１１によって光線が射出される。また、さらに、光ファイバー１０を結合していないプラスチック２０内（即ち、図２と図５に示す領域Ｓ）に、珪石、ジルコン、或いは、線維（図示せず）を添加することで、領域Ｓの強度を高めることができる。
【００１６】
入光端１２は一カ所に集中しているため、単一の発光源Ｌだけで光線を入光端１２に入射させることができ、必要な電気エネルギーと発光源Ｌの数量を減らすことができる。また、伝導媒質Ｔは必須ではなく、発光源Ｌを直接、入光端１２に近い箇所に設けることで、光線を光ファイバー１０内に直接進入させることができる。
【００１７】
図７と図８に示すように、入光端１２を、入光管口３２に沿って配列させることができる。なお、各入光端１２はいずれも入光管３２の口部の外に向いている。発光源は、異なる状況に応じて、更に多くの種類の発光源を用いることができる。例えば、図９に示す発光源Ｌ’を、図８に示す入光端１２の方法で配列させ、円形の配列を形成させることができる。それにより、各入光端１２はいずれも光線の照射を受けることができる。もちろん、単一の発光源を複数の伝導媒介に結合させることで、光線を各入光端１２に伝達させることもできる。なお、本発明は、各種需要に応じて、さまざまな種類の発光源を配列させて光ファイバー１０に組み合わせることができ、本発明に設けることができる発光源の形式は、図で示す形式に限定されるものではない。  
【００１８】
また、光ファイバー１０は、光学微細光ファイバー、或いは、光線を伝達させることができる各種の光ファイバーである。また、各光ファイバー１０の配列方法には制限がなく、需要に応じて、全体の耐性強度やじん性を高めるために、互いに交錯させたり、平行にさせたりすることができる。
【００１９】
前記プラスチックは、熱硬化性プラスチック、或いは、熱可塑性プラスチック  であり、例えば、エポキシ樹脂、ポリエステル、フェノール・ホルムアルデヒド、アクリル酸、、ビニル基等である。また、プラスチック２０の全体に占める体積の割合は、３％〜７０％であり、光ファイバー１０の全体に占める体積の割合は、３０％〜９７％である。
【００２０】
本発明は、口腔手術、内視鏡手術などの治療、或いは、多くの部材の間でクリーニングしたり物体を吸いとったりする際等、多くの分野に適用できる。また、映像キャプチャー裝置を入光端１２に連結させることで、光ファイバー１０を通じて、出光端１１の前方の景色をキャプチャーすることができ、それにより、前方の状態を把握することができる。
【符号の説明】
【００２１】
１０    光ファイバー
１１    出光端
１２    入光端
２０    プラスチック
３０    光ファイバー複合プラスチック光導管
３１    出光管口
３２    入光管口
Ｈ      グリップ
Ｌ      発光源
Ｔ      伝導媒質
Ｌ’    発光源  
Ｓ      領域
【図１】
2013025007.tif 000003
【図２】
2013025007.tif 000004
【図３】
2013025007.tif 000005
【図４】
2013025007.tif 000006
【図５】
2013025007.tif 000007
【図６】
2013025007.tif 000008
【図７】
2013025007.tif 000009
【図８】
2013025007.tif 000010
【図９】
2013025007.tif 000011